(57)【要約】      （修正有）【課題】足糸を有さない二枚貝を養殖する場合に、養殖過程で生じる有機汚物を貝本体又は周辺の容器に付着させず、容易に排出する養殖装置を提供する。【解決手段】足糸を有さない二枚貝を、育成水を用いて養殖する養殖装置１であって、上下方向に貫通した流路２１を有し、前記流路２１の下方の開口２２は前記流路の上方の開口２３よりも小さく、前記育成水が前記流路２１を流通可能な状態で前記流路２１内において前記二枚貝を保持する保持容器２０と、前記保持容器２０を収容するとともに前記育成水を貯留する貯留室３１をその内部に画成し、前記貯留室３１と連通する排出口３２を底部に有する貯水容器３０と、前記排出口３２を開閉可能な排出弁４０と、を備える養殖装置。【選択図】図１
2019205396.tif 000002
【特許請求の範囲】
【請求項１】
足糸を有さない二枚貝を、育成水を用いて養殖する養殖装置であって、
上下方向に貫通した流路を有し、前記流路の下方の開口は前記流路の上方の開口よりも小さく、前記育成水が前記流路内を流通可能な状態で前記流路内において前記二枚貝を保持する保持容器と、
前記保持容器を収容するとともに前記育成水を貯留する貯留室をその内部に画成し、前記貯留室と連通する排出口を底部に有する貯水容器と、
前記排出口を開閉可能な排出弁と、
を備える養殖装置。
【請求項２】
前記貯留室を画成する内壁は、前記保持容器の下方において前記排出口に向かって下方に傾斜した傾斜面を有する請求項１に記載の養殖装置。
【請求項３】
前記貯留室の上面は開放されており、
前記貯水容器を収容するとともに前記育成水を貯留する外側容器をさらに備え、
前記貯水容器は、前記保持容器の下方であって、前記排出口の上方の位置に、前記貯留室と前記外側容器とを連通する開口部を有する、請求項１又は２に記載の養殖装置。
【請求項４】
一端が前記外側容器の下部に接続し、他端が前記貯留室の上方に設けられる循環水路と、
前記循環水路と接続し、前記貯水容器と前記外側容器とに貯留された前記育成水を循環させる循環ポンプと、
をさらに備える、請求項３に記載の養殖装置。
【請求項５】
前記保持容器は、前記二枚貝の長軸方向が上下方向に沿った姿勢となるように前記二枚貝を保持する請求項１〜４の何れか一項に記載の養殖装置。
【発明の詳細な説明】
【技術分野】
【０００１】
本開示は、養殖装置に関する。
【背景技術】
【０００２】
特許文献１には、容器内に二枚貝を収容して育成する養殖装置が記載されている。この養殖装置は、複数の二枚貝を収容する内槽と、育成水を貯水する外槽とを備える。内槽及び外槽は、分離可能な箱形の容器である。内槽は、外槽より小さくかつ底浅の容器である。内槽は、内槽の下面と外槽の下面との間に隙間を空けた状態で、外槽内に収納される。内槽の下面には、複数のスリットが設けられている。沈降物は、外槽の下面に堆積する。
【先行技術文献】
【特許文献】
【０００３】
【特許文献１】特開２０１２−１６５６４９号公報
【発明の概要】
【発明が解決しようとする課題】
【０００４】
養殖装置の内部の衛生環境は、有機汚物の堆積により悪化することが知られている。衛生環境を良好に保つためには、内槽及び外槽において有機汚物の除去処理及び洗浄処理が必要となる。しかしながら、特許文献１に記載の養殖装置は、内槽及び外槽の有機汚物を容易に排出できないおそれがある。
【０００５】
本開示は、足糸を有さない二枚貝を養殖する場合に、有機汚物を効率的に収集して排出することができる養殖装置を提供することを目的とする。
【課題を解決するための手段】
【０００６】
本開示に係る養殖装置は、足糸を有さない二枚貝を、育成水を用いて養殖する養殖装置であって、上下方向に貫通した流路を有し、流路の下方の開口は流路の上方の開口よりも小さく、育成水が流路内を流通可能な状態で流路内において二枚貝を保持する保持容器と、保持容器を収容するとともに育成水を貯留する貯留室をその内部に画成し、貯留室と連通する排出口を底部に有する貯水容器と、排出口を開閉可能な排出弁と、を備える。
【０００７】
本開示に係る養殖装置によれば、流路の下方の開口の大きさ以上、且つ、流路の上方の開口の大きさ以下の二枚貝は、保持容器内に保持される。二枚貝は、育成水中において、育成水が流通可能な隙間を有しつつ、保持容器内に保持された状態で、育成される。残餌や二枚貝の排泄物などからなる有機汚物は、水より比重が大きい。そのため、有機汚物は育成水中において自然に沈降する。保持容器の上面及び下面には開口が設けられているため、有機汚物は、保持容器の上面及び下面に堆積することなく、保持容器と二枚貝との間に生じた隙間を通り、下方の排出口付近に移動する。有機汚物は、排出弁の開放によって育成水とともに貯水容器の外部へ排出される。よって、本開示に係る養殖装置は、有機汚物を効率的に収集して排出することができる。
【０００８】
一実施形態に係る養殖装置では、貯留室を画成する内壁は、保持容器の下方において排出口に向かって下方に傾斜した傾斜面を有してもよい。この場合、傾斜面が貯留室を画成する内壁となることで、保持容器の流路の下方の開口から流出した有機汚物は、貯留室内壁において付着し難く、排出口付近に収集される。また、排出口付近で貯留室が細くなることにより、排出弁の開放の際に育成水の流出速度が速くなる。これらにより、一実施形態に係る養殖装置は、排出弁付近に堆積した有機汚物を、貯留室を画成する内壁が傾斜面を有しない場合に比べて、効率的に収集して排出することができる。
【０００９】
一実施形態に係る養殖装置では、貯留室の上面は開放されており、養殖装置は、貯水容器を収容するとともに育成水を貯留する外側容器をさらに備え、貯水容器は、保持容器の下方であって、排出口の上方の位置に、貯留室と外側容器とを連通する開口部を有してもよい。この場合、貯水容器の開放された上面と下部の開口部とによって、保持容器及び貯水容器の内部と外側容器との間で育成水が流通可能となる。保持容器と貯水容器との内部において育成水の流通が生じることによって、保持容器と貯水容器との壁面における有機汚物の付着が抑制される。また、有機汚物の排出処理をした後、外側容器内に保持容器及び貯水容器を設置するだけで、貯水容器における上面の開口と開口部から育成水が保持容器及び貯水容器の内部へ流入し、保持容器及び貯水容器の内部に育成水を容易に充填することができる。よって、この養殖装置は、有機汚物の排出に関連する作業を効率的に実施できる。
【００１０】
一実施形態に係る養殖装置では、一端が外側容器の下部に接続し、他端が貯留室の上方に設けられる循環水路と、循環水路と接続し貯水容器と外側容器とに貯留された育成水を循環させる循環ポンプと、をさらに備えてもよい。この場合、育成水は、貯留室内において保持容器の下方の開口部から外側容器へと流出する。育成水は、外部容器の下部から循環ポンプにより循環水路の上方へ流通する。流通した育成水は、循環水路の他端から保持容器と貯留室との上方に流入する。これにより、保持容器の内部と貯留室内に下方向の水流が生じる。したがって、この養殖装置は、貝本体又は周辺の容器において、有機汚物の付着を抑制し、有機汚物を効率的に収集して排出することができる。
【００１１】
一実施形態に係る養殖装置では、保持容器は、二枚貝の長軸方向が上下方向に沿った姿勢となるように二枚貝を保持してもよい。有機汚物が吐き出される二枚貝の出水管は、長軸方向の側面から突出する。二枚貝の長軸方向を上下方向に沿った姿勢とすることによって、出水管の機能が正常に発揮され、二枚貝から排出される有機汚物は二枚貝の外殻に付着することなく、育成水中に排出され、沈降する。これにより、この養殖装置は、貝本体又は周辺の容器において、有機汚物の付着を抑制することができる。
【発明の効果】
【００１２】
本開示によれば、足糸を有さない二枚貝を養殖する場合に、有機汚物を効率的に収集して排出することができる。
【図面の簡単な説明】
【００１３】
【図１】図１は、第１実施形態に係る養殖装置を示す全体斜視図である。
【図２】図２は、二枚貝の構造の一例を示す図である。
【図３】図３は、第１実施形態に係る二枚貝の保持容器を示す平面図である。
【図４】図４は、第１実施形態に係る養殖装置における有機汚物の排出過程を説明するための図である。
【図５】図５は、第１実施形態に係る養殖装置の底部の排出弁が開いた状態を説明するための図である。
【図６】図６は、第２実施形態に係る養殖装置を示す全体斜視図である。
【図７】図７は、第２実施形態に係る養殖装置における育成水の循環を説明するための図である。
【発明を実施するための形態】
【００１４】
以下、図面を参照して、本開示の実施形態について説明する。なお、以下の説明において、同一又は相当要素には同一符号を付し、重複する説明を省略する。
【００１５】
［第１実施形態］
図１は、第１実施形態に係る養殖装置を示す全体斜視図である。図１に示す養殖装置１は、足糸を有さない二枚貝１０を、育成水１１を用いて養殖する装置である。足糸を有さない二枚貝１０として、例えば、アサリ、ハマグリ、アカガイ、トリガイが挙げられる。育成水１１は、養殖する対象となる二枚貝１０の生育環境に適した水である。
【００１６】
図２は、二枚貝１０の構造の一例を示す図である。二枚貝１０は外殻１２を有する。殻高Ｌ１は、背腹の最大距離である。殻長Ｌ２は、外殻１２の前後の最大距離である。殻長Ｌ２は、二枚貝の長軸方向の幅になる。管距離Ｌ３は、殻高Ｌ１と殻長Ｌ２との交点から、殻長Ｌ２における外殻１２の端点までの距離が長い方である。足距離Ｌ４は、殻高Ｌ１と殻長Ｌ２との交点から、殻長Ｌ２における外殻１２の端点までの距離が短い方である。出水管１３は、二枚貝１０の管距離Ｌ３側の側面から突出する。足１４は、二枚貝１０の足距離Ｌ４側の側面から突出する。自然環境下の二枚貝１０は、長軸方向を上下方向にする姿勢となることが知られている。すなわち、二枚貝１０は、足１４を下方に突出させ、出水管１３などの口を上方の水中に突出させる姿勢となる。
【００１７】
図１に示す養殖装置１は、保持容器２０と、貯水容器３０と、排出弁４０と、を備える。保持容器２０は、二枚貝１０を保持する容器である。保持容器２０は、上下方向に貫通した流路２１を有し、流路２１内において育成水１１が流通可能な状態で二枚貝１０を保持する。保持容器２０は、一例として、正四角錐台を上下逆向きにし、上面と下面とが開口した筒状の構造である。保持容器２０は貯水容器３０の内部に複数、互いに隣接して配置される。保持容器２０の上部は貯水容器３０の内壁又は他の保持容器２０の上部に接続する。これにより、保持容器２０は貯水容器３０の内部に着脱自在に固定される。流路２１は、保持容器２０の内壁に囲まれた筒状の部分である。１つの流路２１につき、１つの二枚貝１０が保持される。
【００１８】
図３は、第１実施形態に係る二枚貝の保持容器２０を示す平面図である。図１及び図３に示すように、流路２１の下方の開口である下流開口２２は流路２１の上方の開口である上流開口２３よりも小さい。すなわち、流路２１は、下方に向かって横断面の大きさが小さくなっていく。二枚貝１０の殻高Ｌ１が上流開口２３の対角線の長さ以下、且つ、二枚貝１０の殻長Ｌ２が下流開口２２の対角線の長さ以上である場合、二枚貝１０は流路２１によって保持される。二枚貝１０は、流路２１の内部の側面のうち、上下方向の１つの辺又はその辺を有する２つの面と、横断面においてその辺の対角にある辺又はその辺を有する２つの面と、により支持される。図３に示す間隙２４は、保持容器２０内の流路２１に嵌り込むように保持された二枚貝１０の外殻１２と、保持容器２０の内壁との間の育成水１１が充填されている空間である。
【００１９】
図１に示すように、貯水容器３０は、育成水１１を貯留する容器である。貯水容器３０は、保持容器２０を収容するとともに育成水１１を貯留する貯留室３１をその内部に画成する。貯水容器３０は、貯留室３１と連通する排出口３２を底部に有する。貯水容器３０は、下面に排出口３２を備えた筒状の構造である。貯水容器３０は、一例として、上面が開放された構造である。貯留室３１は、保持容器２０の上流開口２３が上方向、下流開口２２が下方向になるように、保持容器２０を収容する。育成水１１は、水面が保持容器２０の上面より高くなるように貯留室３１内に貯留される。
【００２０】
排出弁４０は排出口３２を開閉可能なように設置される。排出弁４０は、一例として、栓の構造を有する。保持容器２０の上面と下面とが開口し、保持容器２０と貯水容器３０とが連通していることから、保持容器２０の内部と貯留室３１内の育成水１１は排出弁４０の開放により排出することができる。
【００２１】
貯留室３１を画成する内壁は、保持容器２０の下方において排出口３２に向かって下方に傾斜した傾斜面３３を有し得る。貯留室３１の下方に向うにしたがって、貯留室３１の下部の横断面の大きさが徐々に小さくなる。これにより、養殖装置１は、有機汚物１５を排出口３２周辺に収集することができる。有機汚物１５は、残餌や養殖の対象となる二枚貝１０から排出される排泄物などである。有機汚物１５は、一般的に水より比重が大きい。そのため、有機汚物１５は、育成水１１内を自然沈降し、排出弁付近に堆積する。また、排出口３２付近で貯留室３１が細くなることにより、排出弁４０の開放の際に育成水１１の流出速度が速くなる。これにより、養殖装置１は、排出弁４０付近に堆積した有機汚物１５を、貯留室３１を画成する内壁が傾斜面３３を有しない場合に比べて強い力で効率的に排出することができる。また、貯水容器３０は、保持容器２０の下流開口２２を傾斜面３３に接地させることによって保持容器２０を支持してもよい。
【００２２】
保持容器２０は、二枚貝１０の長軸方向が上下方向に沿った姿勢となるように二枚貝１０を保持し得る。この場合、例えば、保持容器２０の鉛直方向の長さが下流開口２２及び上流開口２３の対角線の長さに比べて長く設定されることで、二枚貝１０の姿勢維持が可能となる。出水管１３が水平方向にある場合、二枚貝１０は保持容器２０の流路２１に格納されていることから、出水管１３により飛ばされた体内の有機汚物１５が近傍の保持容器２０の内壁や外殻１２に付着するおそれがある。したがって、出水管１３が上方を向くように保持容器２０に嵌め込むことによって、有機汚物１５を確実に育成水１１に浮遊させることができる。
【００２３】
養殖装置１における二枚貝１０の設置過程は以下のようになる。貯留室３１内において、保持容器２０が収容され、育成水１１が充填される。保持容器２０において、流路２１に二枚貝１０が嵌め込まれる。二枚貝１０が保持容器２０の上面よりも上に突出する場合には、育成水１１は、二枚貝１０の上端よりも高い位置まで貯留室３１内に充填される。
【００２４】
次に、養殖装置１における有機汚物１５の排出過程について説明する。図４は、第１実施形態に係る養殖装置１における有機汚物１５の排出過程を説明するための図である。有機汚物１５は、出現過程（Ｓ１）として、二枚貝１０の出水管１３から育成水１１に排出され、保持容器２０の上部付近に出現する。次に、有機汚物１５は、間隙沈降過程（Ｓ２）として、間隙２４を通り、保持容器２０の流路２１内を沈降する。有機汚物１５は水より比重が大きいため、自然沈降により育成水１１内を移動する。次に、有機汚物１５は、保持容器通過過程（Ｓ３）として、下流開口２２を通って保持容器２０の外部へと移動した後、貯留室３１内に沈降する。次に有機汚物１５は、排出弁貯留過程（Ｓ４）として、貯留室３１内を沈降した後、排出弁４０の上に堆積する。上記の排出過程において、有機汚物１５が保持容器２０と貯水容器３０との内壁に付着することを防ぐため、保持容器２０と貯水容器３０との内壁は滑面であってもよい。
【００２５】
図５は、第１実施形態に係る養殖装置１の底部の排出弁４０が開いた状態を説明するための図である。有機汚物１５が排出弁貯留過程（Ｓ４）において排出弁４０の上に多く堆積した場合、保持容器２０の内部と貯留室３１内の育成水１１の衛生環境が悪化するおそれがある。そこで、排出弁開放過程（Ｓ５）として、有機汚物１５は、排出弁４０が開放されることにより育成水１１と共に貯水容器３０から外部へ排出される。保持容器２０は貯水容器３０において着脱自在に設置されていることから、保持容器２０を貯水容器３０から分離して洗浄することもできる。
【００２６】
このように、本実施形態に係る養殖装置１によれば、足糸を有さない二枚貝１０を養殖する場合に、有機汚物１５を効率的に収集して排出することができる。
【００２７】
また、養殖装置１において、保持容器２０は、下流開口２２を小さく、上流開口２３を大きくすることによって、様々な大きさの二枚貝１０を保持できる。貯留室３１が傾斜面３３を有することで、排出口３２を除く貯留室３１における有機汚物１５の付着を緩和する。また、傾斜面３３により、有機汚物１５を排出口３２付近に収集し容易に排出することができ、有機汚物１５の除去処理及び洗浄処理コストが削減される。保持容器２０は、二枚貝１０の長軸方向が上下方向に沿った姿勢となるように二枚貝１０を保持容器２０に嵌め込むことによって、育成水１１に有機汚物１５を確実に浮遊させることができる。また、二枚貝１０の長軸方向が上下方向に沿った姿勢となるため、二枚貝１０を水平方向に配置するよりも多くの二枚貝１０を養殖装置１内で養殖することができる。さらに、二枚貝１０の姿勢が、自然環境下と同様の姿勢となることで、二枚貝１０の成長が促進される。二枚貝１０は、砂などの育成培地内ではなく育成水１１の中で養殖されるため、砂などの底質を含まない状態の二枚貝１０を養殖することができる。
【００２８】
［第２実施形態］
次に、第２実施形態に係る養殖装置１００について説明する。本実施形態の説明では、第１実施形態との相違点を説明し、重複する説明を省略する。養殖装置１００は養殖内部装置１Ａと、外側容器１１０と、を備える。第２実施形態に係る養殖内部装置１Ａは、第１実施形態に係る養殖装置１と比べて、育成水１１を貯水容器３０の外部へ流通させる機能を有する点で相違する。
【００２９】
最初に、第２実施形態に係る養殖装置１００の構成を説明する。図６は、第２実施形態に係る養殖装置１００を示す全体斜視図である。図６に示すように、第２実施形態の養殖内部装置１Ａは、貯水容器３０Ａ及び貯留室３１Ａを備えている。貯留室３１Ａの上面は開放されている。養殖装置１００は、貯水容器３０Ａを収容するとともに育成水１１を貯留する外側容器１１０をさらに備える。貯水容器３０Ａは、保持容器２０の下方であって、排出口３２の上方の位置に、貯留室３１Ａと外側容器１１０とを連通する開口部１２０を有する。第２実施形態に係る養殖内部装置１Ａのその他の構成は、第１実施形態での養殖装置１と同一である。
【００３０】
外側容器１１０は、貯水容器３０Ａを収容可能な大きさの有底筒状の構造である。開口部１２０には、複数の穴が形成されている。開口部１２０の各穴は、育成水１１が流通可能な大きさの穴である。
【００３１】
養殖装置１００における二枚貝１０の設置過程、及び、有機汚物１５の排出過程は、第１実施形態の各過程と同一である。ただし、育成水１１は、外側容器１１０の内部及び貯留室３１Ａ内において、保持容器２０に保持されている二枚貝１０の上端より水面が高くなるように貯留する。貯留室３１Ａ内の育成水１１は、貯留室３１Ａの開放された上面又は開口部１２０を通じて外側容器１１０に出入りすることができる。有機汚物１５は開口部１２０を通じて外側容器１１０に流出することはなく、排出弁４０の上に堆積する。開口部１２０は、有機汚物１５が外側容器１１０に移動することを防止するフィルターなどを備えてもよい。
【００３２】
また、養殖装置１００は、循環水路１３０と、循環ポンプ１３１と、をさらに備えてもよい。循環水路１３０は、一端が外側容器１１０の下部に接続し、他端が貯留室３１Ａの上方に設けられる。循環ポンプ１３１は、循環水路１３０と接続し、貯留室３１Ａと外側容器１１０とに貯留された育成水１１を循環させる。循環水路１３０は、育成水１１が流通可能な水路で、循環する水量に合わせて管径を変えてもよい。循環水路１３０の上方の端部は、育成水１１が貯留室３１Ａに供給されるように設置することができる。循環ポンプ１３１は、循環水路１３０の内部の育成水１１を下方から上方に移動させる機構を持つ。
【００３３】
図７は、第２実施形態に係る養殖装置１００における育成水１１の循環を説明するための図である。外側容器１１０の下部の育成水１１は循環ポンプ１３１の動力により、循環水路１３０を通じて、保持容器２０及び貯留室３１Ａの上方に流通する。ここで、循環ポンプ１３１による育成水１１の吸い込み作用によって、貯留室３１Ａ内の育成水１１に対して、開口部１２０から外側容器１１０へと流出する水流が発生する。これにより、貯留室３１Ａ内において、上方から下方への水流が発生する。これにより、循環水路１３０の上部より保持容器２０及び貯留室３１Ａに流入した育成水１１は下方へと移動し、開口部１２０から外側容器１１０へと流出する。このように、養殖装置１００内の育成水１１は循環する。有機汚物１５において、自然沈降に加え、保持容器２０の内部及び貯留室３１Ａ内で生じる上方から下方への循環水流により、保持容器２０から貯留室３１Ａの下方への沈降が促進される。
【００３４】
養殖装置１００が循環水路１３０及び循環ポンプ１３１を備えた場合、外側容器１１０の内部と貯留室３１Ａ内との育成水１１の水面高さは異なってもよい。少なくとも、外側容器１１０の内部の育成水１１の水面高さは、外側容器１１０の下部における循環水路１３０の端部より高ければよい。加えて、少なくとも、貯留室３１Ａ内の育成水１１の水面高さは、保持容器２０に保持された二枚貝１０の上端より高ければよい。また、外側容器１１０の内部の育成水１１の水面高さが貯水容器３０Ａの上面の位置より低い場合、循環水路１３０の上方の端部から、開口部１２０から流出する量と同量の育成水１１が貯水容器３０Ａに供給されるように循環水路１３０及び循環ポンプ１３１を設置する。
【００３５】
以上のように、本実施形態に係る養殖装置１００においても、第１実施形態に係る養殖装置１と同様に、足糸を有さない二枚貝１０を養殖する場合に、有機汚物１５を効率的に収集して排出することができる。また、有機汚物１５の排出処理をした後、外側容器１１０の内部に保持容器２０及び貯水容器３０Ａを設置するだけで、貯水容器３０Ａにおける上面の開口と開口部１２０から育成水１１が流入し、保持容器２０及び貯水容器３０Ａの内部に育成水１１を容易に充填することができる。即ち、この養殖装置１００は、有機汚物の排出に関連する作業を効率的に実施できる。また、本実施形態では、養殖内部装置１Ａと外側容器１１０との内部の育成水１１が循環水路を通じて循環することによって、保持容器２０の内部と貯留室３１Ａ内とに上方から下方への水流が生じ、水流がない場合よりも効率的に有機汚物１５の排出弁４０上への沈降を促進することができる。
【００３６】
以上、本開示の実施形態について説明したが、本開示は、上記実施形態に限定されるものではない。例えば、各実施形態において、保持容器２０の流路２１の横断面は正方形としたが、円、多角形などでもよく、流路２１の断面形として１つの形状で統一しなくともよい。下流開口２２が星形多角形である場合など、二枚貝１０が流路２１に保持される態様になっていれば、下流開口２２の大きさが上流開口２３の大きさと同等又は大きく設定してもよい。保持容器２０は、貯水容器３０の内部に複数ではなく１つのみ配置してもよい。保持容器２０の上方から下方にかけての傾斜角度は、二枚貝１０の長軸方向が上下方向に沿った姿勢となるように二枚貝１０の外殻１２の形状に合わせて設定してもよい。保持容器２０は二枚貝１０を保持可能であるならば、骨組み又は網状の構造のみで壁面を有さなくともよい。保持容器２０は、二枚貝１０の長軸方向が上下方向に沿った姿勢となるように二枚貝１０を保持しなくともよい。
【００３７】
各実施形態における有機汚物１５は、例えば、保持容器２０同士の接続部、保持容器２０と貯水容器３０との接続部又は保持容器２０と貯水容器３０Ａとの接続部に存在する隙間を通過してもよい。これらの接続部は、有機汚物１５の接続部上への堆積を防止するために、水平方向の面積が広くならないようにしてもよい。複数の養殖装置１又は養殖内部装置１Ａを使用する場合に、保持容器２０の下方であって排出口３２の上方の貯留室３１又は貯留室３１Ａの部分において、貯水容器３０同士を連結させて排出弁４０を少数にまとめてもよい。貯留室３１又は貯留室３１Ａを画成する内壁は、保持容器２０の下方において排出口３２に向かって下方に傾斜した傾斜面３３を有さなくともよい。各実施形態における排出弁４０は、開閉を自動化してもよい。排出弁４０は、実施形態として栓としたが、蝶型弁、逆止弁、仕切弁など育成水１１及び有機汚物１５の流入出を制御できる構造であればよい。
【００３８】
第２実施形態において、例えば、外側容器１１０にも育成水１１の流入口又は排出口を設けることによって、育成水１１が流入出可能なようにしてもよい。開口部１２０における穴は１つでもよい。複数の養殖内部装置１Ａを使用する場合、外側容器１１０は複数の貯水容器３０Ａを収容してもよい。複数の養殖内部装置１Ａを鉛直方向に連なって設けてもよい。この場合、養殖内部装置１Ａの開口部１２０から流出した育成水１１を下方に備えられた貯留室３１Ａの上面に流下させることができる。養殖内部装置１Ａの排出口３２にフィルターを設け、そこに直接、循環水路１３０の一端を接続し、外側容器１１０と開口部１２０とを必要とせずに循環機構を設けてもよい。循環水路１３０の上方の端部は、外側容器１１０の内部の育成水１１の水位が貯水容器３０Ａの上面より高い場合、育成水１１が貯留室３１Ａに供給されるように設置しなくともよい。
【符号の説明】
【００３９】
１，１００…養殖装置、１Ａ…養殖内部装置、１０…二枚貝、１１…育成水、１２…外殻、１３…出水管、１４…足、１５…有機汚物、２０…保持容器、２１…流路、２２…下流開口、２３…上流開口、２４…間隙、３０，３０Ａ…貯水容器、３１，３１Ａ…貯留室、３２…排出口、３３…傾斜面、４０…排出弁、１１０…外側容器、１２０…開口部、１３０…循環水路、１３１…循環ポンプ、Ｌ１…殻高、Ｌ２…殻長、Ｌ３…管距離、Ｌ４…足距離。
【図１】
2019205396.tif 000003
【図２】
2019205396.tif 000004
【図３】
2019205396.tif 000005
【図４】
2019205396.tif 000006
【図５】
2019205396.tif 000007
【図６】
2019205396.tif 000008
【図７】
2019205396.tif 000009